(57)【要約】【課題】ランチャの取扱いが簡単なコマ玩具セット及びランチャを提供すること。【解決手段】コマ玩具には、胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部が設けられ、ランチャのホルダには、ラック歯とピニオン歯車との噛合位置の近くに設けられホルダに先に装着されたラックベルトのベルト部によってコマ玩具のホルダへのセットが妨げられないようにベルト部を弾性変形させ得るスペースが設けられている。【選択図】  図５
2018038454.tif 000002
【特許請求の範囲】
【請求項１】
胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部を有するコマ玩具と、
弾性を有するベルト部を有し当該ベルト部に前記ピニオン歯車に噛合可能なラック歯が形成されたラックベルトと、前記ラックベルトが装着されるホルダと、を有し、前記被係止部の下で前記ピニオン歯車に前記ラック歯を噛合させ前記被係止部の下側に前記ベルト部を潜り込ませることによって前記コマ玩具を前記ホルダに保持させ、この状態から前記ラックベルトを所定方向に引くことによって、前記ピニオン歯車を回転させ前記コマ玩具に回転力を付与し、引き続いて前記ピニオン歯車と前記ラック歯との噛合を解除させ前記コマ玩具を発射させるランチャと、を備え、
前記ホルダには、    
前記ラック歯と前記ピニオン歯車との噛合位置の近くに設けられ前記ホルダに先に装着された前記ラックベルトの前記ベルト部によって前記コマ玩具の前記ホルダへのセットが妨げられないように前記ベルト部を弾性変形させ得るスペースと、
前記ベルト部の前記ラック歯とは反対側の面に当接して前記ベルト部の弾性によって前記ピニオン歯車と前記ラック歯とを噛合させるように前記ベルト部を案内するベルト案内部と、
が形成されていることを特徴とするコマ玩具セット。
【請求項２】
前記ホルダの前記スペースは、    
前記ラック歯と前記ピニオン歯車との噛合位置の隣に設けられ前記ホルダに先に装着された前記ラックベルトの前記ベルト部と前記被係止部とが上下方向で重なり合わないように前記被係止部の半径方向外方に前記ベルト部を退避させ得るように形成されていることを特徴とする請求項１に記載のコマ玩具セット。
【請求項３】
前記コマ玩具の前記被係止部の上面外周部は下方に向けて拡径するようにベベル状に形成されていることを特徴とする請求項１又は請求項２に記載のコマ玩具セット。
【請求項４】
一方側の凹部と他方側の凸部とが嵌まり合うことによって前記ホルダに対して前記コマ玩具が位置決めされることを特徴とする請求項１から請求項３のいずれか一項に記載のコマ玩具セット。
【請求項５】
前記コマ玩具の前記被係止部の上面には前記凹部が形成され、前記ホルダには前記凸部が形成されていることを特徴とする請求項４に記載のコマ玩具セット。
【請求項６】
胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部を有するコマ玩具に使用され、
弾性を有するベルト部を有し当該ベルト部に前記ピニオン歯車に噛合可能なラック歯が形成されたラックベルトと、前記ラックベルトが装着されるホルダと、を有し、前記被係止部の下で前記ピニオン歯車に前記ラック歯を噛合させ前記被係止部の下側に前記ベルト部を潜り込ませることによって前記コマ玩具を前記ホルダに保持させ、この状態から前記ラックベルトを所定方向に引くことによって、前記ピニオン歯車を回転させ前記コマ玩具に回転力を付与し、引き続いて前記ピニオン歯車と前記ラック歯との噛合を解除させ前記コマ玩具を発射させるランチャにおいて、
前記ホルダには、    
前記ラック歯と前記ピニオン歯車との噛合位置の近くに設けられ前記ホルダに先に装着された前記ラックベルトの前記ベルト部によって前記コマ玩具の前記ホルダへのセットが妨げられないように前記ベルト部を弾性変形させ得るスペースと、
前記ベルト部の前記ラック歯とは反対側の面に当接して前記ベルト部の弾性によって前記ピニオン歯車と前記ラック歯とを噛合させるように前記ベルト部を案内するベルト案内部と、
が形成されていることを特徴とするランチャ。
【請求項７】
前記ホルダの前記スペースは、    
前記ラック歯と前記ピニオン歯車との噛合位置の隣に設けられ前記ホルダに先に装着された前記ラックベルトの前記ベルト部と前記被係止部とが上下方向で重なり合わないように前記被係止部の半径方向外方に前記ベルト部を退避させ得るように形成されていることを特徴とする請求項６に記載のランチャ。
【発明の詳細な説明】
【技術分野】
【０００１】
本発明は、コマ玩具セット及びランチャに関するものである。
【背景技術】
【０００２】
従来、コマ玩具とランチャ（コマ玩具発射装置）とを備えたコマ玩具セットとして、特許文献１に記載のものが知られている。このコマ玩具セットでは、コマ玩具は、回転軸と軸心が共通する入力軸に設けられたピニオン歯車、及び、入力軸におけるピニオン歯車の直上に設けられ当該ピニオン歯車の歯先と同じ程度に入力軸の半径方向外方に張り出す被係止部を有している。
また、ランチャはラックベルトとホルダとを有している。ラックベルトは、ベルト部が弾性を有しベルト部の一面にはラック歯が形成されている。また、ホルダは、コマ玩具の被係止部の直下でピニオン歯車とラック歯とを噛合させることによってベルト部で被係止部を下方から支えることでコマ玩具を支持する。そして、このようにホルダにコマ玩具を支持した状態でラックベルトを所定方向に引くことにより、ラック歯に噛合するピニオン歯車を回転させてコマ玩具に回転力を付与するとともに、ピニオン歯車とラック歯との噛合を解除させてコマ玩具をホルダから離脱させる。
【０００３】
この特許文献１に記載のコマ玩具セットでは、ホルダは先端がコ字状部となっている。具体的には、ホルダは、先端に、使用状態で水平に張り出す上下の平行板部と、この上下の平行板部同士を基端側で互いに連結する連結部とを有している。そして、連結部の内面は平面状の帯状体案内面となっている。この帯状体案内面は、ラックベルトの前記所定方向で、コ字状部におけるピニオン歯車に対向する部分にも延在している。この帯状体案内面は、ラックベルトのベルト部の背面に当接し、ラック歯をピニオン歯車の歯との噛合位置に導くとともに、ラック歯とピニオン歯車の歯との噛合状態を維持させるように機能する。
【先行技術文献】
【特許文献】
【０００４】
【特許文献１】実開昭６３−９１４６６号公報（実願昭６１−１８７１９３号のマイクロフィルム）
【発明の概要】
【発明が解決しようとする課題】
【０００５】
しかしながら、特許文献１に記載のコマ玩具セットでは、ピニオン歯車に対向する部分にある帯状体案内面にベルト部の背面が当接した状態でちょうどピニオン歯車とラック歯が噛合するようになっているため、ラックベルトをホルダに装着した後には、コマ玩具をホルダに保持させることができない。
なぜならば、ラックベルトをホルダに装着した後にコマ玩具をホルダに保持させようとすれば、途中で、被係止部がベルト部に突き当たってしまい、ピニオン歯車とラック歯とを噛合させることができない。
そのため、上記特許文献１のコマ玩具では、コマ玩具の回転軸を下側の平行板部に形成されたピニオン歯車挿入孔に挿入させた状態を片手で保持しながら、他方の手でラックベルトをコ字状部内に差し込んでコマ玩具の被係止部の下でピニオン歯車とラック歯とを噛合させる必要があった。
その結果、コマ玩具をホルダに保持させるのが面倒であった。
【０００６】
本発明は、かかる問題点に鑑みなされたもので、ランチャの取扱いが簡単なコマ玩具セット及びランチャを提供することを目的としている
【課題を解決するための手段】
【０００７】
第１の手段は、
胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部を有するコマ玩具と、
弾性を有するベルト部を有し当該ベルト部に前記ピニオン歯車に噛合可能なラック歯が形成されたラックベルトと、前記ラックベルトが装着されるホルダと、を有し、前記被係止部の下で前記ピニオン歯車に前記ラック歯を噛合させ前記被係止部の下側に前記ベルト部を潜り込ませることによって前記コマ玩具を前記ホルダに保持させ、この状態から前記ラックベルトを所定方向に引くことによって、前記ピニオン歯車を回転させ前記コマ玩具に回転力を付与し、引き続いて前記ピニオン歯車と前記ラック歯との噛合を解除させ前記コマ玩具を発射させるランチャと、を備え、
前記ホルダには、    
前記ラック歯と前記ピニオン歯車との噛合位置の近くに設けられ前記ホルダに先に装着された前記ラックベルトの前記ベルト部によって前記コマ玩具の前記ホルダへのセットが妨げられないように前記ベルト部を弾性変形させ得るスペースと、
前記ベルト部の前記ラック歯とは反対側の面に当接して前記ベルト部の弾性によって前記ピニオン歯車と前記ラック歯とを噛合させるように前記ベルト部を案内するベルト案内部と、
が形成されていることを特徴とする。
【０００８】
第２の手段は、第１の手段において、前記ホルダの前記スペースは、前記ラック歯と前記ピニオン歯車との噛合位置の隣に設けられ前記ホルダに先に装着された前記ラックベルトの前記ベルト部と前記被係止部とが上下方向で重なり合わないように前記被係止部の半径方向外方に前記ベルト部を退避させ得るように形成されていることを特徴とする。
【０００９】
第３の手段は、第１の手段又は第２の手段において、前記コマ玩具の前記被係止部の上面外周部は下方に向けて拡径するようにベベル状に形成されていることを特徴とする。
【００１０】
第４の手段は、第１の手段〜第３の手段のいずれか一の手段において、一方側の凹部と他方側の凸部とが嵌まり合うことによって前記ホルダに対して前記コマ玩具が位置決めされることを特徴とする。
【００１１】
第５の手段は、第４の手段において、前記コマ玩具の前記被係止部の上面には前記凹部が形成され、前記ホルダには前記凸部が形成されていることを特徴とする。
【００１２】
第６の手段は、
胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部を有するコマ玩具に使用され、
弾性を有するベルト部を有し当該ベルト部に前記ピニオン歯車に噛合可能なラック歯が形成されたラックベルトと、前記ラックベルトが装着されるホルダと、を有し、前記被係止部の下で前記ピニオン歯車に前記ラック歯を噛合させ前記被係止部の下側に前記ベルト部を潜り込ませることによって前記コマ玩具を前記ホルダに保持させ、この状態から前記ラックベルトを所定方向に引くことによって、前記ピニオン歯車を回転させ前記コマ玩具に回転力を付与し、引き続いて前記ピニオン歯車と前記ラック歯との噛合を解除させ前記コマ玩具を発射させるランチャにおいて、
前記ホルダには、    
前記ラック歯と前記ピニオン歯車との噛合位置の近くに設けられ前記ホルダに先に装着された前記ラックベルトの前記ベルト部によって前記コマ玩具の前記ホルダへのセットが妨げられないように前記ベルト部を弾性変形させ得るスペースと、
前記ベルト部の前記ラック歯とは反対側の面に当接して前記ベルト部の弾性によって前記ピニオン歯車と前記ラック歯とを噛合させるように前記ベルト部を案内するベルト案内部と、
が形成されていることを特徴とする。
【００１３】
第７の手段は、第６の手段において、前記ホルダの前記スペースは、前記ラック歯と前記ピニオン歯車との噛合位置の隣に設けられ前記ホルダに先に装着された前記ラックベルトの前記ベルト部と前記被係止部とが上下方向で重なり合わないように前記被係止部の半径方向外方に前記ベルト部を退避させ得るように形成されていることを特徴とする。
【発明の効果】
【００１４】
第１の手段及び第６の手段によれば、ラックベルトをホルダに装着したままでベルト部を弾性変形させれば、後からでもコマ玩具をホルダに保持させることができる。したがって、ランチャの取扱いが簡単となる。
【００１５】
第２の手段及び第７の手段によれば、ラックベルトをホルダに装着したままでベルト部を退避させれば、後からでもコマ玩具をホルダに保持させることができる。したがって、ランチャの取扱いが簡単となる。
【００１６】
第３の手段によれば、コマ玩具の被係止部の上面は下方に向けて拡径するようにベベル状に形成されているので、ラックベルトをホルダに装着したままで、コマ玩具をホルダに押し付けると、へベル状部分に押されてベルト部が被係止部の外方に退く。したがって、簡単に、コマ玩具をホルダに取り付けることができる。
【００１７】
第４の手段及び第５の手段によれば、上下方向で凹部と凸部を嵌め合わせれば、コマ玩具の位置決めが行えるので、簡単に、コマ玩具をホルダに取り付けることができる。
【図面の簡単な説明】
【００１８】
【図１】本発明の第１の実施形態に係るコマ玩具セットを示した斜視図である。
【図２】図１のコマ玩具セットの入力軸を示した斜視図である。
【図３】図１のコマ玩具セットのホルダを一方向から見た状態を示した斜視図である。
【図４】図１のコマ玩具セットのホルダを他方向から見た状態を示した斜視図である。
【図５】図１のコマ玩具セットのホルダを示した底面図である。
【図６】図１のコマ玩具セットのピニオン歯車とラックベルトとの関係を説明するための図であり、（Ａ）はコマ玩具を保持する前のピニオン歯車とラックベルトの関係を示した図、（Ｂ）はコマ玩具を保持する途中でのピニオン歯車とラックベルトの関係を示した図、（Ｃ）はコマ玩具を保持した後のピニオン歯車とラックベルトの関係を示した図である。
【図７】図１のコマ玩具セットのチャンバの作用を説明するための図であり、（Ａ）はコマ玩具を保持する途中でのラックベルトの状態を示した図、（Ｂ）はコマ玩具を保持した後のラックベルトの状態を示した図である。
【図８】本発明の第２の実施形態に係るコマ玩具セットのピニオン歯車とラックベルトとの関係を説明するための図であり、（Ａ）はコマ玩具を保持する前のピニオン歯車とラックベルトの関係を示した図、（Ｂ）はコマ玩具を保持する途中でのピニオン歯車とラックベルトの関係を示した図、（Ｃ）はコマ玩具を保持した後のピニオン歯車とラックベルトの関係を示した図である。
【発明を実施するための形態】
【００１９】
以下、本発明の実施形態について説明する。
《第１の実施形態》
図１はコマ玩具セットの外観を示した斜視図である。
このコマ玩具セット１００は、コマ玩具１０とランチャ５０とを備えている。
【００２０】
コマ玩具１０は上下方向で幾つかのパーツに分解可能に構成されている。このコマ玩具１０は大別すれば、軸部１１と、胴部１２と、入力軸１３とを備えている。
軸部１１は、略逆円錐状に形成され、下方の回転軸１１ａに向けて段階的に縮径した形となっている。回転軸１１ａは軸部１１の中心に位置している。
胴部１２は円盤状に形成され、外周には凹凸が形成されている。この凹凸によってバトルに変化を持たせることができるようになっている。
入力軸１３は回転軸１１ａと共通の軸心を持つ。そして、図２に示すように、入力軸１３には、当該入力軸１３と共通の軸心を持つピニオン歯車１４が形成されている。入力軸１３におけるピニオン歯車１４の直上にはピニオン歯車１４の歯先まで張り出しピニオン歯車１４の谷部分を上方から被覆する被係止部１５が形成されている。被係止部１５の上面外周部１５ａは下方に向けて拡径されるようにベベル状に形成されている。また、入力軸１３の上端は平らに形成され、その中心には円形の孔１６が形成されている。この孔１６はコマ玩具１０の位置決め用の孔である。
【００２１】
ランチャ５０はラックベルト６０とホルダ７０とによって構成されている。
ラックベルト６０はベルト部６１と操作部６２とを備えている。
ベルト部６１は帯状に形成され、１つの面にラック歯６３が形成されている。そして、ベルト部６１は、少なくともラック歯６３の歯丈方向に弾性を有している。
操作部６２は、ベルト部６１の基端部に設けられ、ラック歯６３の歯丈方向両側に突出している。この操作部６２は、例えば、一方の突出部に人差し指を他方の突出部に中指を掛けて操作可能となっている。
【００２２】
ホルダ７０は片手で摘める程度の大きさに形成されている。図３及び図４に示すように、ホルダ７０は上面視で略矩形の表面板７０ａの外周部に側壁７０ｂを垂設した形となっている。表面板７０ａ及び側壁７０ｂによって区画される部分は空洞となっており、この空洞は下方に向けて開口している。
図３に示すように、ホルダ７０の側壁７０ｂの一端側にはホルダ７０の幅方向に所定距離だけ隔てて２つの差込み口７１ａ，７１ｂが形成されている。差込み口７１ａ，７１ｂのそれぞれはホルダ７０の内側の空洞に連通している。この差込み口７１ａ，７１ｂはラックベルト６０を抜き差しするためのものである。また、図４に示すように、ホルダ７０の他端側には幅方向に所定距離だけ隔てて２つの導出口７２ａ，７２ｂが形成されている。導出口７２ａ，７２ｂのそれぞれはホルダ７０の内側の空洞に連通している。この導出口７２ａ，７２ｂはラックベルト６０の差込みの際に当該ラックベルト６０の先端を導出させるためのものである。
図５に示すように、ホルダ７０の内側にはコマ玩具１０の受け部７３が形成されている。受け部７３は円筒状の突起となっている。この受け部７３は上記コマ玩具１０の孔１６に挿入可能な大きさに形成されている。また、ホルダ７０の内面には、差込み口７１ａと導出口７２ａとを結ぶ通路７４ａと、差込み口７１ｂと導出口７２ｂとを結ぶ通路７４ｂとが形成されている。
通路７４ａは、受け部７３に近い位置にある内側壁７５ａと、遠い位置にある外側壁７６ａとによって区画形成されている。内側壁７５ａは直線状となっていて、受け部７３に対向する部分が欠損している。また、外側壁７６ａは、幅方向外側に向けて凸となるように孤状に湾曲した部分を有している。さらに、外側壁７６ａの下端にはベルト部６１を下方から支持する支持片７７ａが互いに所定距離隔てて２つ形成されている。ここで、差込み口７１ａの縁、導出口７２ａの縁、外側壁７６ａのうち直線状になっている部分がピニオン歯車１４とラック歯６３とを噛合させるためのベルト案内部として機能する。このベルト案内部は、ベルト部６１のラック歯６３とは反対側の面（背面）に当接してベルト部６１の弾性によってピニオン歯車１４とラック歯６３とを噛合させるものであれば足り、その設置場所、個数、形状を問わない。
通路７４ｂは、受け部７３に近い位置にある内側壁７５ｂと、遠い位置にある外側壁７６ｂとによって区画形成されている。内側壁７５ｂは直線状となっていて、受け部７３に対向する部分が欠損している。また、外側壁７６ｂは、幅方向外側に向けて凸となるように孤状に湾曲した部分を有している。さらに、外側壁７６ｂの下端にはベルト部６１を下方から支持する支持片７７ｂが互いに所定距離隔てて２つ形成されている。ここで、差込み口７１ｂの縁、導出口７２ｂの縁、外側壁７６ｂのうち直線状になっている部分がピニオン歯車１４とラック歯６３とを噛合させるためのベルト案内部として機能する。このベルト案内部は、ベルト部６１の背面に当接してベルト部６１の弾性によってピニオン歯車１４とラック歯６３とを噛合させるものであれば足り、その設置場所、個数、形状を問わない。
【００２３】
このように構成されたホルダ７０は同形のホルダ同士が背中合わせ状態で２つ連結できるように構成されている。
すなわち、ホルダ７０における導出口７２ａ，７２ｂが形成された側の形状は、導出口７２ａの部分では外方に向けて凸、導出口７２ｂの部分では外方に向けて凹となっている。凸部７９ａの外壁には爪７８ａが形成され、凹部７９ｂの内壁には爪７８ｂが形成されている。そして、一方のホルダ７０の凸部７９ａと凹部７９ｂとに、他方のホルダ７０の凹部７９ｂと凸部７９ａとを合致させ、上下方向から嵌め合わせることで、２つのホルダ７０，７０を互いに連結させることができる。連結させた２つのホルダ７０，７０を使用することで、２つのコマ玩具１０を一度機に発射させることができる。この場合、連結された２つのホルダ７０，７０のうち任意の一方のホルダ７０の差込み口７１ａ又は７１ｂからラックベルト６０を差し込むことができる。そのときには、他方のホルダ７０の差込み口７１ａ又は差込み口７１ｂがラックベルト６０の導出口となる。
また、ホルダ７０を単独で使用する場合、２つのホルダ７０，７０を連結して使用する場合のいずれの場合においても、ホルダ７０の差込み口７１ａを差込み口として用いるか、或いは差込み口７１ｂを差込み口として用いるかによって、コマ玩具１０の回転方向を変えることができる。
【００２４】
（使用方法）
次に、コマ玩具セット１００の使用方法を説明する。なお、ここでは１つのホルダ７０を用いる場合を説明するが、２つのホルダ７０，７０を連結する場合も略同様である。
最初に、ラックベルト６０の先端を差込み口７１ａと合致させ、ベルト部６１をホルダ７０内に挿入しておく。この状態では、ベルト部６１の先端部がホルダ７０の導出口７２ａから導出される。次に、コマ玩具１０の孔１６をホルダ７０の受け部７３に合致させ、コマ玩具１０を押し込んでコマ玩具１０の孔１６と受け部７３とを嵌合させる。この過程で、コマ玩具１０の被係止部１５の上面外周部１５ａのベベル状の斜面がベルト部６１のラック歯６３に当接する（図６（Ａ））。コマ玩具１０の押込みに伴って、被係止部１５の上面外周部１５ａのベベル状の斜面がラック歯６３を外方に押し出す（図６（Ｂ）及び図７（Ａ））。そして、コマ玩具１０の孔１６と受け部７３とが嵌合した際に、ベルト部６１が弾性によって元に戻るので、ラック歯６３とピニオン歯車１４と噛合する（図６（Ｃ）及び図７（Ｂ））。すると。ラック歯６３とピニオン歯車１４との噛合部を被係止部１５が覆った形となるので、コマ玩具１０を下にしてもコマ玩具１０がホルダ７０から脱落するのが防止される。換言すれば、コマ玩具１０がホルダ７０に保持される。
次に、ホルダ７０を片手で持ち、他方の手でラックベルト６０を所定方向に引く。これによって、コマ玩具１０は回転力を付与される。そして、ベルト部６１の先端がピニオン歯車１４を通過すると、コマ玩具１０は被係止部１５による支えを失うので、コマ玩具１０が回転しながらホルダ７０から自重で落下する。
【００２５】
（実施形態の効果）
このコマ玩具セット１００によれば、ラックベルト６０をホルダ７０に取り付けたままでも、コマ玩具１０をホルダ７０に保持することができるので便利である。特に、被係止部１５の上面外周部１５ａをベベル状の斜面とすれば、コマ玩具１０の当該斜面をラックベルト６０に押し付けるだけで、ラックベルト６０がコマ玩具１０のピニオン歯車１４の外側に逃げるので、より簡単に、コマ玩具１０の保持が行えることになる。
【００２６】
《第２の実施形態》
図８には第２の実施形態が示されている。この第２の実施形態では、ベルト部６１が捩れ弾性を有し、コマ玩具１０をホルダ７０にセットする際にベベル状の斜面がベルト部６１を押圧した際に、ベルト部６１が捩れる（図８（Ａ）及び図８（Ｂ））。そして、その後にベルト部６１の弾性によってピニオン歯車１４とラック歯６３とが噛合する（図８（Ｃ））。これによって、ホルダ７０にラックベルト６０を装着した後でもコマ玩具１０をホルダ７０に保持させることができる。なお、図８において符号６５で指示する部分はベルト案内部である。このベルト案内部６５はベルト部６１の捩れのスペースを阻害しない部分に形成されている。
なお、ここでは、ベルト部６１の逃げのスペースは、ベルト部１６の厚さが小さいので、ベルト部６１の逃げのスペースを被係止部１５の軸方向に平行な方向だけに形成している。この場合には、ベルト部６１の背面に当接するベルト案内部は、ホルダ７０に装着されたコマ玩具１０のピニオン歯車１４に対向する部分にも形成されていてもよい。
その他の部分は、第１の実施形態と略同様に構成されているので、図示及びその説明は省略する。
【００２７】
《発明の変形例》
以上、本発明の実施形態を説明したが、本発明は、かかる実施形態に限定されず、その要旨を逸脱しない範囲で種々変形可能であることは言うまでもない。
例えば、上記実施形態では、通路７４ａを区画する外側壁７６ａと、通路７４ｂを区画する外側壁７６ｂとに孤状に湾曲した部分を設けたが、この湾曲部分はベルト部６１の逃げを作るためのものであり、この部分が欠損していてもよい。要は、コマ玩具１０を後から保持するために、ベルト部６１が逃げるスペースがあることである。
【００２８】
上記実施形態では、コマ玩具１０側に孔（凹）１６を設け、ホルダ７０側に受け部（凸）を設け、コマ玩具１０の位置決めを行っているが、その逆でもよい。また、位置決めできれば、その形状は問わない。
【００２９】
上記実施形態では、被係止部１５の上面外周部をベベル状の斜面としたが、ベベル状の斜面としなくてもよい。特に、第２の実施形態の場合には、上面が平らであってもラックベルト６０のベルト部６１をピニオン歯車１４の突き当たりによって捩らせることができる。
【００３０】
また、上記実施形態では、ラックベルト６０のベルト部６１をピニオン歯車１４の突き当たりによって変形させるようにしたが、ユーザが手や道具を使ってベルト部６１を変形させるようにしもてよい。
【符号の説明】
【００３１】
１０   コマ玩具
１１   軸部
１１ａ 回転軸
１２   胴部
１３   入力軸
１４   ピニオン歯車
１５   被係止部
１５ａ 上面外周部
１６   孔
５０   ランチャ
６０   ラックベルト
６１   ベルト部
６２   操作部
６３   ラック歯
７０   ホルダ
１００ コマ玩具セット
【図１】
2018038454.tif 000003
【図２】
2018038454.tif 000004
【図３】
2018038454.tif 000005
【図４】
2018038454.tif 000006
【図５】
2018038454.tif 000007
【図６】
2018038454.tif 000008
【図７】
2018038454.tif 000009
【図８】
2018038454.tif 000010
【手続補正書】
【提出日】平成29年3月30日(2017.3.30)
【手続補正１】
【補正対象書類名】明細書
【補正対象項目名】００１０
【補正方法】変更
【補正の内容】
【００１０】
第４の手段は、第１の手段〜第３の手段のいずれか一の手段において、前記ホルダ又は前記コマ玩具の一方に設けられた凹部と、前記ホルダ又は前記コマ玩具の他方に設けられた凸部とが嵌まり合うことによって前記ホルダに対して前記コマ玩具が位置決めされることを特徴とする。
【手続補正２】
【補正対象書類名】特許請求の範囲
【補正対象項目名】全文
【補正方法】変更
【補正の内容】
【特許請求の範囲】
【請求項１】
胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部を有するコマ玩具と、
弾性を有するベルト部を有し当該ベルト部に前記ピニオン歯車に噛合可能なラック歯が形成されたラックベルトと、前記ラックベルトが装着されるホルダと、を有し、前記被係止部の下で前記ピニオン歯車に前記ラック歯を噛合させ前記被係止部の下側に前記ベルト部を潜り込ませることによって前記コマ玩具を前記ホルダに保持させ、この状態から前記ラックベルトを所定方向に引くことによって、前記ピニオン歯車を回転させ前記コマ玩具に回転力を付与し、引き続いて前記ピニオン歯車と前記ラック歯との噛合を解除させ前記コマ玩具を発射させるランチャと、を備え、
前記ホルダには、
前記ラック歯と前記ピニオン歯車との噛合位置の近くに設けられ前記ホルダに先に装着された前記ラックベルトの前記ベルト部によって前記コマ玩具の前記ホルダへのセットが妨げられないように前記ベルト部を弾性変形させ得るスペースと、
前記ベルト部の前記ラック歯とは反対側の面に当接して前記ベルト部の弾性によって前記ピニオン歯車と前記ラック歯とを噛合させるように前記ベルト部を案内するベルト案内部と、
が形成されていることを特徴とするコマ玩具セット。
【請求項２】
前記ホルダの前記スペースは、
前記ラック歯と前記ピニオン歯車との噛合位置の隣に設けられ前記ホルダに先に装着された前記ラックベルトの前記ベルト部と前記被係止部とが上下方向で重なり合わないように前記被係止部の半径方向外方に前記ベルト部を退避させ得るように形成されていることを特徴とする請求項１に記載のコマ玩具セット。
【請求項３】
前記コマ玩具の前記被係止部の上面外周部は下方に向けて拡径するようにベベル状に形成されていることを特徴とする請求項１又は請求項２に記載のコマ玩具セット。
【請求項４】
前記ホルダ又は前記コマ玩具の一方に設けられた凹部と、前記ホルダ又は前記コマ玩具の他方に設けられた凸部とが嵌まり合うことによって前記ホルダに対して前記コマ玩具が位置決めされることを特徴とする請求項１から請求項３のいずれか一項に記載のコマ玩具セット。
【請求項５】
前記コマ玩具の前記被係止部の上面には前記凹部が形成され、前記ホルダには前記凸部が形成されていることを特徴とする請求項４に記載のコマ玩具セット。
【請求項６】
胴部の上に設けられ回転軸と共通の軸心を持つ入力軸に設けられたピニオン歯車、及び、前記入力軸における前記ピニオン歯車の直上に設けられ当該ピニオン歯車の谷底よりも半径方向外方に張り出す被係止部を有するコマ玩具に使用され、
弾性を有するベルト部を有し当該ベルト部に前記ピニオン歯車に噛合可能なラック歯が形成されたラックベルトと、前記ラックベルトが装着されるホルダと、を有し、前記被係止部の下で前記ピニオン歯車に前記ラック歯を噛合させ前記被係止部の下側に前記ベルト部を潜り込ませることによって前記コマ玩具を前記ホルダに保持させ、この状態から前記ラックベルトを所定方向に引くことによって、前記ピニオン歯車を回転させ前記コマ玩具に回転力を付与し、引き続いて前記ピニオン歯車と前記ラック歯との噛合を解除させ前記コマ玩具を発射させるランチャにおいて、
前記ホルダには、
前記ラック歯と前記ピニオン歯車との噛合位置の近くに設けられ前記ホルダに先に装着された前記ラックベルトの前記ベルト部によって前記コマ玩具の前記ホルダへのセットが妨げられないように前記ベルト部を弾性変形させ得るスペースと、
前記ベルト部の前記ラック歯とは反対側の面に当接して前記ベルト部の弾性によって前記ピニオン歯車と前記ラック歯とを噛合させるように前記ベルト部を案内するベルト案内部と、
が形成されていることを特徴とするランチャ。
【請求項７】
前記ホルダの前記スペースは、
前記ラック歯と前記ピニオン歯車との噛合位置の隣に設けられ前記ホルダに先に装着された前記ラックベルトの前記ベルト部と前記被係止部とが上下方向で重なり合わないように前記被係止部の半径方向外方に前記ベルト部を退避させ得るように形成されていることを特徴とする請求項６に記載のランチャ。